(57)【要約】【課題】証紙部品の交換が可能で、かつ、不正に証紙部品を交換した場合にはその発見が可能な遊技機を提供する。【解決手段】証紙部品４００の遊技盤３０からの取り外しを不可に当該証紙部品４００と係止する、証紙部品４００とは別体の係止ピン４５０は、証紙部品４００を遊技盤３０から取り外すために破壊される被切断部４７１を備えているので、証紙部品４００が遊技盤３０に係止ピン４５０で係止されると、係止ピン４５０を破壊しない限り、証紙部品４００が取り外し不可であるため、証紙部品４００と遊技盤３０との一体不可分性を確保でき、証紙部品４００が不正に交換されることを低減できる。また、係止ピン４５０の被切断部４７１の破壊痕跡や係止ピン４５０の不存在を見ることで、正当作業者でない者によって破壊されたことの推測ができる。また、係止ピン４５０の被切断部４７１を破壊した破壊分離部品を長穴筒部４２０に保持できる。【選択図】図８
2010268953.tif 000002
【特許請求の範囲】
【請求項１】
遊技者に遊技を提供する遊技機において、
遊技製品に関する証明情報を表示した証明情報表示部品と、
前記証明情報表示部品が取り付けられる被取付部を有する遊技部品と、
前記証明情報表示部品を前記遊技部品の前記被取付部から取り外し不可に係止する係止手段と、を備え、
前記係止手段は、前記証明情報表示部品の前記遊技部品からの取り外しを不可に当該証明情報表示部品と係止する、当該証明情報表示部品とは別体の係止部品を備え、
前記係止部品は、破壊されることによって前記証明情報表示部品を前記遊技部品から取り外すことを可能とする被破壊部を備え、
前記被破壊部が破壊された前記係止部品のうちで前記証明情報表示部品と係止する破壊分離部品を保持する破壊分離部品保持部を備えている
ことを特徴とする遊技機。
【発明の詳細な説明】
【技術分野】
【０００１】
この発明は、パチンコ機、スロットマシン等の遊技機に関する。
【背景技術】
【０００２】
従来、遊技機の代表例として例えばパチンコ機がある。このパチンコ機は、例えば、当該パチンコ機の外殻を形成し遊技場（ホール）の遊技島に固定される外枠と、この外枠の正面視での左端側を開閉軸として外枠に対して開閉可能に支持される内枠と、この内枠の略中央に形成された開口に、遊技球の流下する遊技領域が位置するように取り付けられる遊技盤と、この内枠の正面視での左端側を開閉軸として内枠に対して開閉可能に支持され、遊技領域を視認するための視認窓を有する前面扉とを備えている。
【０００３】
また、パチンコ機は、例えば所定の検定機関の検定を受けて、この検定に合格したものに限りホール（遊技場）への設置が認められている。この検定を受けた証としての証紙がパチンコ機の例えば遊技盤の所定箇所（前面右下角部箇所）に直接に貼り付けられている。この証紙には、唯一無二の検定番号（例えば、遊技機の製造業者記号と一連の連続番号とからなる証紙の製造番号）が記載されており、パチンコ機の完成品状態においても、正面視で前面扉の透明窓部を介して見える箇所に位置している。遊技機の納品先ホールと当該遊技機の証紙の製造番号とが対応して管理されているので、この証紙の製造番号によって、遊技盤がどのホールに納品されたのかが管理できる。また、遊技盤の転売に際しても同様に対応して管理されているので、転売後もどのホールにあるのか等の管理ができる。
【０００４】
なお、この証紙は、一旦貼り付けられた後に剥がそうとすると、その少なくとも一部が破損するような壊れやすいものであり、貼り付け後にきれいに剥がされて不正に再使用されないものである。
【０００５】
しかし、証紙貼り付け済みの遊技盤の製造メーカー出荷前試験において故障品・不良品であることが発見された場合や、ホール設置作業で誤って当てたり落下させたりして破損させた場合等には、新たな製造番号の証紙が貼り付けられた遊技盤と交換することになる。
【０００６】
ホール側としては、遊技島に設置された複数台の遊技機についての証紙が一連の製造番号順である方が管理上都合がいいのであるが、上記交換が生じると不連続な製造番号の証紙が貼り付けられた遊技盤が混在することになる。
【０００７】
そこで、証紙を遊技盤に直接に貼り付けるのではなく、証紙が貼り付けられた証紙台を、遊技盤の前面側端部箇所に設けられたレール飾りに当該レール飾りの裏面側からネジ止め等して固定することで、証紙の交換が可能としたパチンコ機がある。このパチンコ機の場合には、上記の故障等が生じても新たな遊技盤に元の証紙を証紙台ごと取り付けることができ、証紙を一連の製造番号順とすることができる（例えば、特許文献１参照）。
【先行技術文献】
【特許文献】
【０００８】
【特許文献１】特開２００３−６２３０９号公報（第２−４頁，第３図）
【発明の概要】
【発明が解決しようとする課題】
【０００９】
しかしながら、このような構成を有する従来例の場合には、次のような問題がある。
すなわち、上述のパチンコ機では、例えば、証紙が証紙台ごと他の遊技盤に交換できることから、遊技機のホール設置の際に証紙を一連の製造番号順とすることができるものの、ホール設置後に、証紙が証紙台ごと他の遊技機に不正に交換されたとしても、その不正交換を発見できないという問題がある。
【００１０】
例えば、検定を受けていない遊技盤に、正規の証紙付きの証紙台が取り付けられてホールで不正営業されていたり、証紙が証紙台ごと勝手に付け替えられたりしていてもわからないという重大な問題が生じ得る。
【００１１】
本発明は、このような事情に鑑みてなされたものであって、証紙の交換が可能で、かつ、不正に証紙交換した場合にはその発見が可能な遊技機を提供することを目的とする。
【課題を解決するための手段】
【００１２】
この発明は、このような目的を達成するために、次のような構成をとる。
すなわち、請求項１に記載の発明は、
遊技者に遊技を提供する遊技機において、
遊技製品に関する証明情報を表示した証明情報表示部品と、
前記証明情報表示部品が取り付けられる被取付部を有する遊技部品と、
前記証明情報表示部品を前記遊技部品の前記被取付部から取り外し不可に係止する係止手段と、を備え、
前記係止手段は、前記証明情報表示部品の前記遊技部品からの取り外しを不可に当該証明情報表示部品と係止する、当該証明情報表示部品とは別体の係止部品を備え、
前記係止部品は、破壊されることによって前記証明情報表示部品を前記遊技部品から取り外すことを可能とする被破壊部を備え、
前記被破壊部が破壊された前記係止部品のうちで前記証明情報表示部品と係止する破壊分離部品を保持する破壊分離部品保持部を備えている
ことを特徴とするものである。
【００１３】
［作用・効果］請求項１に記載の発明によれば、証明情報表示部品は、遊技製品に関する証明情報を表示する。遊技部品は、証明情報表示部品が取り付けられる被取付部を有する。係止手段は、証明情報表示部品を遊技部品の被取付部から取り外し不可に係止する。係止手段の係止部品は、証明情報表示部品とは別体であり、証明情報表示部品の遊技部品からの取り外しを不可に当該証明情報表示部品と係止する。この係止部品の被破壊部が破壊されることによって、証明情報表示部品を遊技部品から取り外すことが可能となる。
【００１４】
したがって、証明情報表示部品が遊技部品の被取付部に係止手段によって係止されると、係止手段の係止部品を破壊しない限り、証明情報表示部品が遊技部品から取り外し不可であるため、証明情報表示部品と遊技部品との一体不可分性を確保でき、証明情報表示部品が不正に交換されることを低減できる。
【００１５】
また、検定合格後で製造メーカー出荷前試験において遊技部品（証明情報表示部品の取り付け済み）に故障や不良があった場合や、ホール設置作業で遊技部品を落下破損させた場合等には、係止部品の被破壊部を破壊することで、証明情報表示部品を遊技部品から取り外すことができ、製造メーカー側が所有する係止部品を用いてその取り外した証明情報表示部品を例えば検定を受けた新たな遊技部品に取り付けて出荷することができ、遊技機のホール設置の際に、複数の遊技機の証明情報表示部品を一連の番号順とすることができる。
【００１６】
また、ホール設置後に、ある遊技機の係止部品の被破壊部が不正に破壊されて、証明情報表示部品が遊技部品から不正に取り外されて他の遊技機に使用された場合には、当該他の遊技機での係止部品の被破壊部の破壊痕跡や係止部品の不存在を見ることで、正当作業者（例えば、製造メーカー作業者）でない者によって破壊されたことの推測ができる。
【００１７】
例えば、検定を受けていない遊技部品に、正規の証明情報表示部品が取り付けられてホールで不正営業されていたり、証明情報表示部品を勝手に付け替えられたりしている場合には、被破壊部が破壊された係止部品を再使用していたり、係止部品が破壊されてそもそも存在しないため、ホール関係者や製造メーカー作業者は、係止部品の破壊痕跡や係止部品の不存在を目ることで、何らかの不正行為があったと推測でき、不正行為を低減できる。
【００１８】
また、係止部品の被破壊部を破壊すると、証明情報表示部品と係止する部品（破壊分離部品）とそれ以外の部品（分離別部品）とに分離されることになるが、作業者が係止部品の被破壊部を破壊する際に、当該破壊によって生じる破壊分離部品及び分離別部品を保持することが困難であり、破壊分離部品や分離別部品が遊技機の中に入り込んだり、見失ったりすることがある。これに対して、破壊部品保持部は、被破壊部が破壊された係止部品のうちで証明情報表示部品と係止する破壊分離部品を保持するので、この破壊分離部品が遊技機の中に入り込んだり、見失ったりすることを低減できる。また、作業者は分離別部品のみを保持して係止部品の被破壊部を破壊すれば良く、被破壊部の破壊作業がやり易いし、作業者は分離別部品を保持しているので、この分離別部品が遊技機の中に入り込んだり、見失ったりすることを低減できる。
【００１９】
なお、本明細書中で言う「証明情報」としては、所定の検定機関や検定団体が発行する検定番号や承認番号、製造メーカーが付す製造番号などが挙げられる。また、本明細書中で言う「遊技部品」は、遊技機に用いられる各種の部品を意味する。この「遊技部品」として例示すれば、遊技盤、内枠、前面枠、入賞装置、センターフレームなどが挙げられる。また、本明細書中で言う「係止手段による取り外し不可に係止する」とは、係止部品の少なくとも一部を破壊しなければ証明情報表示部品を取り外しできないことを意味する。
【発明の効果】
【００２０】
この発明に係る遊技機によれば、証明情報表示部品（例えば、証紙）の交換が可能で、かつ、不正に証明情報表示部品を交換した場合にはその発見が可能であるとともに、係止部品の被破壊部の破壊で生じる破壊分離部品を保持できる遊技機を提供することができる。
【図面の簡単な説明】
【００２１】
【図１】本発明の実施例１のパチンコ機の正面図である。
【図２】前面枠セットと内枠とを開放した状態の実施例１のパチンコ機の斜視図である。
【図３】前面枠セットを取り外した状態の実施例１のパチンコ機の正面図である。
【図４】実施例１の遊技盤の正面図である。
【図５】実施例１の遊技盤の斜視図である。
【図６】証紙部品の前方右上視の分解斜視図である。
【図７】証紙部品の前方左上視の分解斜視図である。
【図８】証紙部品の後方右上視の分解斜視図である。
【図９】証紙部品の後方左上視の分解斜視図である。
【図１０】（ａ）は、遊技盤の証紙部品の取付箇所の正面図であり、（ｂ）は、遊技盤の証紙部品の取付箇所のＡ−Ａ線断面図である。
【図１１】遊技盤の証紙部品の取付箇所のＢ−Ｂ線断面図である。
【図１２】（ａ）〜（ｃ）は、証紙部品の遊技盤への取り付け手順を示す証紙部品などの縦断面図である。
【図１３】（ａ）〜（ｃ）は、証紙部品の遊技盤からの取り外し手順を示す遊技盤の要部縦断面斜視図である。
【図１４】（ａ）は、証紙部品を取り外した状態の遊技盤の一部破断斜視図であり、（ｂ）は、取り外された証紙部品から破壊分離部品を取り出す様子を示す図である。
【図１５】（ａ）〜（ｆ）は、遊技部品の遊技盤からの取り外し手順を示す証紙部品などの縦断面図である。
【図１６】（ａ）〜（ｄ）は、遊技部品の遊技盤からの取り外し手順を示す証紙部品などの横断面図である。
【図１７】前面枠セットを取り外した状態の実施例２のパチンコ機の正面図である。
【図１８】実施例３の遊技盤および証紙部品を示す概略斜視図である。
【発明を実施するための形態】
【００２２】
以下、パチンコ遊技機（以下、単に「パチンコ機」という）の各種の実施の形態を、図面に基づいて詳細に説明する。
【実施例１】
【００２３】
実施例１のパチンコ機を、図面に基づいて詳細に説明する。図１はパチンコ機１０の正面図である。図２は、前面枠セット１４と内枠１２とを開放した状態の実施例１のパチンコ機１０の斜視図である。図３は、前面枠セット１４を取り外した状態の実施例１のパチンコ機１０の正面図である。図４は、実施例１の遊技盤３０の正面図である。図５は、実施例１の遊技盤３０の斜視図である。
【００２４】
図１〜図３に示すように、パチンコ機１０は、当該パチンコ機１０の外殻を形成し遊技場（ホール）の遊技島に固定される外枠１１と、この外枠１１の一側部（例えば正面視での左側部）を開閉軸Ｊ１として外枠１１に対して開閉可能に支持された内枠１２（図２，図３参照）と、この内枠１２の一側部（例えば正面視での左側部）を開閉軸Ｊ２として内枠１２に対して開閉自在に取り付けられる前面枠セット１４とを備えている。
【００２５】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）としている。なお、外枠１１は樹脂やアルミニウム等の軽金属などにより構成されていてもよい。
【００２６】
内枠１２は、図２，図３に示すように、大別すると、その外形を形成する主要部材としての樹脂ベース１２ａと、この樹脂ベース１２ａに背後から取り付けられる遊技盤３０（図４参照）とを備えている。また、内枠１２は、図２に示すように、樹脂ベース１２ａの前面側で片開き自在な前面枠セット１４を備えている。
【００２７】
具体的には、樹脂ベース１２ａは、正面視で、その外形が略矩形状で、かつ、その略中央箇所を開口中心とする開口部（後述する遊技領域３０ａ（図４参照）と同等の大きさの開口）が形成された板状部材としている。
【００２８】
前面枠セット１４は、正面視左側で上下方向の開閉軸Ｊ２を軸心にして当該内枠１２に対して開閉自在に取り付けられている。言い換えれば、前面枠セット１４は、樹脂ベース１２ａに対して開閉自在である。
【００２９】
遊技盤３０（図４参照）は、例えば合板の前面側に釘や各種の入賞部品などが配設されたものであり、その遊技領域３０ａを樹脂ベース１２ａの開口部に位置させるようにして当該樹脂ベースの裏面側に着脱自在に取り付けられる。
【００３０】
ここで、もう少し詳細に前面枠セット１４について説明する。
【００３１】
前面枠セット１４は、図２に示すように、内枠１２に対して開閉可能に取り付けられているため、内枠１２と同様、パチンコ機１０の正面からみて左側に上下に延びる開閉軸Ｊ２を軸心にして前方側に開放できる。
【００３２】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３と、に大別される。これらの下皿ユニット１３と上皿ユニット２１とガラス枠部２３とは、図示省略のベース板体の前面側各箇所にそれぞれ取り付けられて前面枠セット１４が構成されている。
【００３３】
下皿ユニット１３は、図１に示すように、前面枠セット１４の最下部箇所に位置するように、ネジ等の締結具によりベース板体（図示省略）の正面視で最下部箇所に固定されている。この下皿ユニット１３は、その前面側に、下皿１５と球抜きレバー１７と遊技球発射ハンドル１８とを備えている。
【００３４】
球受皿としての下皿１５は、下皿ユニット１３のほぼ中央部に設けられており、排出口１６より排出された遊技球が下皿１５内に貯留可能な窪み空間を備えている。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。
【００３５】
遊技球発射ハンドル１８は、下皿ユニット１３において下皿１５よりも右方で手前側に突出して配設されている。遊技者による遊技球発射ハンドル１８の操作に応じて、遊技球発射装置３８によって遊技球が後述する遊技盤３０の方へ打ち込まれる。遊技球発射装置３８は、例えば、遊技球発射ハンドル１８と発射装置２２９（図２参照）などで構成されている。音出力部２４は、前面枠セット１４の正面視で上部の左右２箇所で、その前面枠セット１４の内部あるいは背面箇所に設けられたスピーカからの音を出力するための出力口である。
【００３６】
上皿ユニット２１は、図１に示すように、前面枠セット１４の下部箇所（前述の下皿１５の上方位置）に位置するように、ネジ等の締結具によりベース板体（図示省略）の正面視で下部箇所に固定されており、遊技球の受皿としての上皿１９を備えている。ここで、上皿１９は、遊技球を一旦貯留し、一列に整列させながら遊技球発射装置３８の方へ導出するための球受皿である。
【００３７】
ガラス枠部２３は、図１に示すように、上皿ユニット２１の上側に形成された窓部１０１と、この窓部１０１の周囲に設けられた各種の電飾部とを備えている。
【００３８】
つまり、前面枠セット１４には、図１に示すように、上皿ユニット２１の上側に位置するガラス枠部２３の中央箇所に、遊技盤３０の遊技領域３０ａ（図４参照）のほとんどを外部から視認することができるよう略縦長楕円形状の窓部１０１が形成されている。詳しくは、窓部１０１は、略縦長楕円形状で中央が空洞としており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００３９】
さらに、ガラス枠部２３は、図１に示すように、窓部１０１の周囲に各種の電飾部（第１電飾部３００、第２電飾部３０２および第３電飾部３０４）を備えている。つまり、前面枠セット１４は、図１に示すように、その前面視した状態で窓部１０１の周囲で左箇所に、ＬＥＤ等を内蔵した第１電飾部３００（左側電飾部）を、窓部１０１の周囲で右箇所に、ＬＥＤ等を内蔵した第２電飾部３０２（右側電飾部）を、窓部１０１の周囲で上箇所に、ＬＥＤ等を内蔵した第３電飾部３０４（上側電飾部）を備えている。これらの電飾部は、大当たり時や所定のリーチ時等における遊技状態の変化に応じて点灯、点滅のように発光態様が変更制御され遊技中の演出効果を高める役割を果たすものである。
【００４０】
本パチンコ機１０では、第１電飾部３００、第２電飾部３０２および第３電飾部３０４は、大当たりランプとして機能し、大当たり時に点灯や点滅を行うことにより、大当たり中であることを報知する。その他、本パチンコ機１０の第１電飾部３００および第２電飾部３０２には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００４１】
また、窓部１０１の下方には貸球操作部１２０が配設されており、貸球操作部１２０には球貸しボタン１２１と返却ボタン１２２とが設けられている。パチンコ機１０の側方に配置された図示省略のカードユニット（球貸しユニット）に紙幣やカード（例えばプリペイドカード）等を挿入口（図示省略）に挿入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニット（図示省略）に挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニット（図示省略）を介さずに球貸し装置等から上皿に遊技球が直接貸し出されるパチンコ機、いわゆる現金機では貸球操作部１２０が不要となる。故に、貸球操作部１２０の設置部分に、飾りシール等が付される。これにより、カードユニット（図示省略）を用いたパチンコ機と現金機との貸球操作部の共通化が図れる。
【００４２】
遊技盤３０は、図４に示すように、正面視で四角形状の合板でその左側上下の両角部が取れたような形状としており、その周縁部（後述するレール５１，５２の外側部分）が内枠１２の樹脂ベース１２ａの裏側に当接した状態で取り付けられており、この遊技盤３０の前面側の略中央部分たる遊技領域３０ａが樹脂ベースの略楕円形状の図１に示した窓部１０１（ガラス板１３７）を通じて前面枠セット１４の前方外側から視認可能な状態である。
【００４３】
次に、図４を用いて遊技盤３０の構成を説明する。遊技盤３０は、一般入賞口３１、可変入賞装置３２、始動入賞装置３３（例えば作動チャッカ）、第３の始動口３４（例えばスルーゲート）および可変表示装置ユニット３５を備えている。これらの一般入賞口３１、可変入賞装置３２、始動入賞装置３３、第３の始動口３４および可変表示装置ユニット３５は、遊技盤３０における、ルータ加工によって形成された各貫通穴にそれぞれに配設され、遊技盤３０前面側から木ネジ等により取り付けられている。一般入賞口３１、可変入賞装置３２、始動入賞装置３３に遊技球が入球し、当該入球が後述する図示省略の検出スイッチ（入賞口スイッチ、カウントスイッチ、作動口スイッチ）で検出され、この検出スイッチの出力に基づいて、上皿１９（または下皿１５）へ所定数の賞品球が払い出される。
【００４４】
また、始動入賞装置３３は、図４に示すように、上から順に、第１の始動口３３ａ（例えば作動チャッカ）と第２の始動口３３ｂ（例えば作動チャッカ）とが上下に配設された単一の入賞装置で構成されている。そして、上部側の第１の始動口３３ａには図示省略の第１の始動口３３ａ用の作動口スイッチ（通過検出スイッチ）が設けられ、この第１の始動口３３ａへの入球をその第１の始動口３３ａ用の作動口スイッチ（図示省略）により検出される。また、下部側の第２の始動口３３ｂには図示省略の第２の始動口３３ｂ用の作動口スイッチ（通過検出スイッチ）が設けられ、この第２の始動口３３ｂへの入球をその第２の始動口３３ｂ用の作動口スイッチ（図示省略）により検出される。すなわち、上部側の第１の始動口３３ａへの遊技球の入球または下部側の第２の始動口３３ｂへの遊技球の入球のどちらの場合にも、それが始動入賞であることに変わりは無く、それらの入球を個別に検出できる。
【００４５】
その他に、図４に示すように、遊技盤３０にはアウト口３６が設けられており、各種入賞装置等に入球しなかった遊技球はこのアウト口３６を通って図示しない球排出路の方へと案内される。遊技盤３０の遊技領域３０ａには、遊技球の落下方向を適宜分散、調整等するために多数の釘が植設されているとともに、風車３７等の各種部材（役物）が配設されている。
【００４６】
可変表示装置ユニット３５は、第１の始動口３３ａ，第２の始動口３３ｂへの入賞をトリガとして、識別情報としての第１図柄（例えば特別図柄）を変動表示する第１図柄表示装置４０と、第３の始動口３４の通過をトリガとして、第２図柄（例えば普通図柄）を変動表示する第２図柄表示装置４１と、第１の始動口３３ａ，第２の始動口３３ｂへの入賞をトリガとして、第３図柄（例えば装飾図柄）を変動表示する第３図柄表示装置４２とを備えている。
【００４７】
第１図柄表示装置４０は、例えば、第１の始動口３３ａへの入球に基づいて変動発光等する複数個（本実施例では２個）の２色発光タイプのＬＥＤ（発光ダイオード）４０ａ，４０ｂと、このＬＥＤ４０ａ，４０ｂでの変動表示の保留数を示す、第３図柄表示装置４２に画面表示される保留表示部４０ｃと、第２の始動口３３ｂへの入球に基づいて変動発光等する複数個（本実施例では２個）の２色発光タイプのＬＥＤ（発光ダイオード）４０ｄ，４０ｅと、このＬＥＤ４０ｄ，４０ｅでの変動表示の保留数を示す、第３図柄表示装置４２に画面表示される保留表示部４０ｆとを備えている。
【００４８】
第１の始動口３３ａへの入球に基づいて変動発光等するＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００４９】
上記と同様に、第２の始動口３３ｂへの入球に基づいて変動発光等するＬＥＤ４０ｄ，４０ｅは、例えば、赤色と青色に発光可能なものである。第１図柄表示装置４０は、各ＬＥＤ４０ｄ，４０ｅの発光色を交互に変更させることで、第１図柄（本実施例では各ＬＥＤ４０ｄ，４０ｅの発光色態様）の変動表示状態を発生させ、例えば、両方のＬＥＤ４０ｄ，４０ｅが赤色発光状態で停止すると確変大当り（特定当り）を示し、両方のＬＥＤ４０ｄ，４０ｅが青色発光状態で停止すると通常大当り（非特定当り）を示し、両方のＬＥＤ４０ｄ，４０ｅが互いに異なる色の発光状態で停止すると外れを示す。
【００５０】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００５１】
第２図柄表示装置４１は、第２図柄用としての例えば「○」が描かれた表示部４１ａと、第２図柄用としての例えば「×」が描かれた表示部４１ｂと、第３図柄表示装置４２に画面表示される保留表示部４１ｃとを有し、遊技球が第３の始動口３４を通過する毎に例えば表示部４１ａ，４１ｂによる表示図柄（普通図柄）が変動し、その変動表示が所定図柄で停止した場合に下部側の第２の始動口３３ｂが所定時間だけ作動状態となる（開放される）よう構成されている。遊技球が第３の始動口３４を通過した回数は最大４回まで保留され、その保留回数が保留表示部４１ｃにて表示される。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００５２】
第３図柄表示装置４２は、例えば液晶表示装置で構成されており、後述する表示制御装置４５により表示内容が制御される。第３図柄表示装置４２には、例えば、左、中及び右の３つの装飾図柄列（図示省略）が表示される。各装飾図柄列（図示省略）は複数の装飾図柄によって構成されており、これら装飾図柄が装飾図柄列（図示省略）毎にスクロールされるようにして第３図柄表示装置４２に可変表示される。なお本実施の形態では、第３図柄表示装置４２（液晶表示装置）は、例えば、１１インチサイズの大型の液晶ディスプレイを備える。可変表示装置ユニット３５には、正面視した状態で第３図柄表示装置４２の表示画面をほぼ囲むようにしてこの第３図柄表示装置４２の前方側にセンターフレーム４７が配設されている。本実施形態では第３図柄表示装置４２としてＬＣＤを採用するが他の種類の画像表示装置（例えば、ＰＤＰ：プラズマ・ディスプレイ・パネルや、ＥＬ：エレクトロ・ルミネッセンス・ディスプレイや、有機ＥＬなど）でもよい。なお、上述した第３図柄表示装置４２が本発明における装飾識別情報（図柄）変動表示手段に相当し、上述した表示制御装置４５が本発明における表示制御手段に相当する。
【００５３】
図４に示すように、可変入賞装置３２は、通常は遊技球が入賞できない又は入賞し難い閉状態であり、大当りの際に遊技球が入賞しやすい開状態と通常の閉状態とに繰り返し作動されるものである。このように、大当りの際に可変入賞装置３２が開状態と通常の閉状態とに繰り返し作動される状態は、特定遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態である。つまり、本実施例のパチンコ機１０は、遊技球の投入数（遊技球発射装置３８による遊技球の遊技領域３０ａへの発射数）の方が、遊技球の賞球払出数（一般入賞口３１、可変入賞装置３２、始動入賞装置３３、第３の始動口３４などへの遊技球の入球に基づく賞球払出数）よりも多い通常遊技状態（遊技球消費状態）と、遊技球の賞球払出数の方が遊技球の投入数よりも多い特定遊技状態（例えば、大当り状態）とに状態変移可能なものである。
【００５４】
より詳しくは、第１の始動口３３ａに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特定遊技状態が発生する。例えば、両方のＬＥＤ４０ａ，４０ｂが赤色発光状態で停止するという発光態様の場合には、確変大当り（特定当り）の特定遊技状態に当選したことを示し、両方のＬＥＤ４０ａ，４０ｂが青色発光状態で停止するという発光態様の場合には、通常大当り（非特定当り）の特定遊技状態に当選したことを示し、両方のＬＥＤ４０ａ，４０ｂが互いに異なる色の発光状態で停止するという発光態様の場合には外れ（特定遊技状態に落選したこと）を示す。
【００５５】
上記と同様に、第２の始動口３３ｂに対し遊技球が入賞すると第１図柄表示装置４０の２個のＬＥＤ４０ｄ，４０ｅが変動表示され、その変動停止後のＬＥＤ４０ｄ，４０ｅの表示が予め設定した発光態様の組合せとなった場合に特定遊技状態が発生する。例えば、両方のＬＥＤ４０ｄ，４０ｅが赤色発光状態で停止するという発光態様の場合には、確変大当り（特定当り）の特定遊技状態に当選したことを示し、両方のＬＥＤ４０ｄ，４０ｅが青色発光状態で停止するという発光態様の場合には、通常大当り（非特定当り）の特定遊技状態に当選したことを示し、両方のＬＥＤ４０ｄ，４０ｅが互いに異なる色の発光状態で停止するという発光態様の場合には外れ（特定遊技状態に落選したこと）を示す。
【００５６】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。また、遊技球が第１の始動口３３ａを通過した回数は最大４回まで保留され、その保留回数が保留表示部４０ｃにて表示される。また、遊技球が第２の始動口３３ｂを通過した回数も最大４回まで保留され、その保留回数が保留表示部４０ｆにて表示される。なお、保留表示部４０ｃ，４０ｆは、第３図柄表示装置４２の表示画面の一部で保留表示するものとしているが、保留ランプなどを用いて点灯表示するようにしても良い。
【００５７】
また、遊技盤３０には、図４に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内される。複数本のレール５１，５２は長尺状をなすステンレス製の金属帯状部材であり、内外二重に遊技盤３０に取り付けられている。内レール５１は上方の約１／４ほどを除いて略縦楕円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００５８】
内レール５１の先端部分（図４の左上部）には、戻り球防止部材５３が取り付けられている。これにより、一旦、内レール５１及び外レール５２間の球案内通路４９から遊技盤３０の上部へと案内された遊技球が再度球案内通路４９内に戻ってしまうといった事態が防止される。また、遊技盤３０が内枠１２に取り付けられた状態において、外レール５２における、遊技球の最大飛翔部分に対応する位置（図４の右上部：外レール５２の先端部に相当する部位）には、内枠１２に設けられた返しゴム５４（図４に二点鎖線で示す部材）が位置している。従って、所定以上の勢いで発射された遊技球は、返しゴム５４に当たって跳ね返されることになる。外レール５２は、長尺状をなすステンレス製の金属帯としているので、遊技球の飛翔をより滑らかなものとする、つまり遊技球の摩擦抵抗を少なくすることができる。なお、図４に破線で示すように、外レール５２の先端部から内レール５１の右側先端部までは、内枠１２に形成された壁部６０（図４に破線で示す）が位置することにより、遊技領域３０ａが仕切られている。
【００５９】
なお、遊技盤３０の右下隅部は、図４に示すように、証紙の製造番号（例えば、遊技機の製造業者記号と一連の連続番号とからなる）が表記されている証紙シールＳ１が貼り付けられた証紙部品４００を設けるためのスペースとして活用されている。遊技盤３０の右下隅部に、証紙シールＳ１が貼り付けられた証紙部品４００を固定することで、遊技盤３０と証紙との一義性を持たせることができる。
【００６０】
また、内枠１２は、図３に示すように、その裏面側に遊技盤３０が取り付けられた状態において、遊技盤３０の証紙部品４００が挿入位置する証紙用開口部１２ｂを備えている。なお、この内枠１２の証紙用開口部１２ｂは、後述する証紙ベース４１０全体が見える大きさとなっている。
【００６１】
次に、遊技盤３０の遊技領域３０ａについて説明する。遊技領域３０ａは、図４に示すように、内レール５１と外レール５２との内周部（内外レール）により略縦長円形状に区画形成されており、特に本実施の形態では、遊技盤３０の盤面上に区画される当該遊技領域３０ａが大きく構成されている。
【００６２】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００６３】
なお、詳しい図面の開示は省略するが、遊技球発射装置３８には、前面枠セット１４の図示省略の球出口（上皿１９の最下流部より通じる球出口）から遊技球が１つずつ供給される。
【００６４】
次に、パチンコ機１０の背面の構成について説明する。図２に示すように、パチンコ機１０は、その背面（実際には内枠１２及び遊技盤３０の背面）において、各種制御装置（図示省略の主制御装置とサブ制御装置など）が上下左右に並べられるようにして又は前後に重ねられるようにして配置されており、さらに、遊技球を供給するための遊技球供給装置や樹脂製の保護カバー等が取り付けられている。
【００６５】
続いて、本実施例のパチンコ機１０のさらなる特徴部分である証紙部品４００について、図６〜図１１を用いて説明する。
【００６６】
図６は、証紙部品４００の前方右上視の分解斜視図である。図７は、証紙部品４００の前方左上視の分解斜視図である。図８は、証紙部品４００の後方右上視の分解斜視図である。図９は、証紙部品４００の後方左上視の分解斜視図である。図１０（ａ）は、遊技盤３０の証紙部品４００の取付箇所の正面図であり、図１０（ｂ）は、遊技盤３０の証紙部品４００の取付箇所のＡ−Ａ線断面図である。図１１は、遊技盤３０の証紙部品４００の取付箇所のＢ−Ｂ線断面図である。
【００６７】
遊技盤３０は、図４及び図５に示すように、その正面視右下箇所（被取付箇所３０ｂ）に、遊技製品に関する証明情報を表示する証紙部品４００が取り付けられている。
【００６８】
また、この証明情報としては、所定の検定機関の検定を受けて合格したことを示す唯一無二の検定番号（例えば、遊技機の製造業者記号と一連の連続番号とからなる証紙の製造番号）が挙げられる。
【００６９】
ここで、証紙部品４００が取り付けられる遊技盤３０の正面視右下箇所（被取付箇所３０ｂ）について説明する。
【００７０】
遊技盤３０は、図８及び図９に示すように、その正面視右下箇所に、裏面に向かうほど開口が大きい三段孔３９０が形成されている。三段孔３９０は、図８、図１０及び図１１に示すように、遊技盤３０の前面に最も近い長孔である第１長孔３９１と、この第１長孔３９１と同一中心で連通して当該第１長孔３９１よりも開口の大きい第２長孔３９２と、この第２長孔３９２と同一中心で連通して当該第２長孔３９２よりも開口の大きい、遊技盤３０の裏面に最も近い第３長孔３９３とで構成されている。
【００７１】
続いて、証紙部品４００の構造について説明する。
【００７２】
証紙部品４００は、図６〜図９に示すように、証紙の製造番号を表記する証紙シールＳ１と、この証紙シールＳ１が前面側に貼り付けられた箱状の証紙ベース４１０とを備えている。証紙ベース４１０は、例えば、樹脂成型品を採用することができる。
【００７３】
証紙シールＳ１は、一旦貼り付けられた後に剥がそうとすると、その少なくとも一部が破損するような壊れやすいものであり、貼り付け後にきれいに剥がされて不正に再使用されないものである。
【００７４】
証紙ベース４１０は、図６〜図９に示すように、証紙シールＳ１が前面側に貼り付けられる正面視で略四角形で平板状の前面部４１１と、この前面部４１１の各辺からそれぞれ奥方向に延出した上面部４１２、下面部４１３、左面部４１４および右面部４１５とを備え、裏面側が開口した箱状形状としている。
【００７５】
証紙ベース４１０は、図６〜図９に示すように、その外周側辺の所定箇所（上面部４１２と左面部４１４の箇所）に、遊技盤３０と当接して取り付けられる取付部４３０をそれぞれ備えている。具体的には、証紙ベース４１０の上面部４１２には、その奥側端部箇所から上方向に突出した、遊技盤３０と当接して取り付けられる取付部４３０が備えられている。また、証紙ベース４１０の左面部４１４には、その奥側端部箇所から横方向に突出した、遊技盤３０と当接して取り付けられる取付部４３０が備えられている。
【００７６】
この取付部４３０には、図６〜図９に示すように、ネジ挿入孔４３１が形成されている。図１０に示すように、取付部４３０のネジ挿入孔４３１にネジ４３２を挿入した状態でこのネジ４３２を遊技盤３０にネジ止めすることで、証紙ベース４１０が遊技盤３０にネジ４３２によって固定されている。
【００７７】
さらに、証紙ベース４１０は、図８〜図１１に示すように、遊技盤３０と対向する側箇所に突出形成された、当該証紙ベース４１０が遊技盤３０に取り付けられた状態で三段孔３９０に挿入される長穴筒部４２０を備えている。
【００７８】
また、証紙ベース４１０は、図８〜図１１に示すように、遊技盤３０と対向する側箇所、つまり、長穴筒部４２０に、遊技盤３０の三段孔３９０の第２長孔３９２に係止する第１係止爪４２１を備えている。この第１係止爪４２１は、図８及び図９に示すように、長穴筒部４２０のその筒長さ方向に並行に切り欠かれた一対の切り欠き部４２２の間の突出部分の外面箇所に爪を形成したものである。また、第１係止爪４２１は、図８に示すように、長穴筒部４２０の対向２箇所にそれぞれ形成されている。具体的には、長穴筒部４２０の長穴開口の全周のうちで各直線部分の箇所に第１係止爪４２１が形成されている。
【００７９】
また、長穴筒部４２０は、図８〜図１１に示すように、一対の第１係止爪４２１が形成されている箇所とは異なる箇所に、一対の係止孔４２３が形成されている。具体的には、長穴筒部４２０の上側円弧面箇所と下側円弧面箇所とに、挿入方向に長い長孔形状の係止孔４２３がそれぞれ形成されている。
【００８０】
さらに、証紙部品４００は、図１１に示すように、係止部４４０によって、遊技盤３０の正面視右下箇所から取り外し不可に係止されている。
【００８１】
具体的には、係止部４４０は、図６〜図９に示すように、証紙部品４００の遊技盤３０からの取り外しを不可に当該証紙部品４００と係止する、証紙部品４００とは別体の係止ピン４５０を備えている。係止ピン４５０は、例えば、樹脂成型品を採用することができる。
【００８２】
係止ピン４５０は、図６〜図１１に示すように、遊技盤３０の三段孔３９０に挿入された長穴筒部４２０に挿入される挿入ピン部４６０と、この挿入ピン部４６０に設けられた、証紙ベース４１０の長穴筒部４２０の係止孔４２３と係止する第２係止爪４６２と、挿入ピン部４６０の挿入方向後端側に形成されて当該三段孔３９０の第３長孔３９３を塞ぐピン頭部４７０と、を備えている。
【００８３】
また、図１０（ｂ）及び図１１に示すように、遊技盤３０の三段孔３９０に挿入された長穴筒部４２０に係止ピン４５０の挿入ピン部４６０が挿入された状態では、この係止ピン４５０のピン頭部４７０は、技盤３０の三段孔３９０の第３長孔３９３に挿入された状態となっている。
【００８４】
また、係止ピン４５０は、図６〜図９に示すように、そのピン頭部４７０の箇所に、証紙部品４００を遊技盤３０から取り外すために破壊される被切断部４７１（リブ）を備えている。
【００８５】
また、挿入ピン部４６０は、図６〜図１１に示すように、長穴筒部４２０に挿入されて第１係止爪４２１が内側に撓むことを規制する延出壁部４６４を備えている。
【００８６】
また、証紙ベース４１０の長穴筒部４２０は、図１３（ｃ）及び図１６（ｃ）に示すように、被切断部４７１が破壊された係止ピン４５０のうちで証紙ベース４１０と係止する破壊分離部品４６６を保持するものでもある。
【００８７】
被切断部４７１は、図１０、図１３及び図１６（ａ）に示すように、挿入ピン部４６０とピン頭部４７０とを連結する連結部のうちで三段孔３９０を正面視した状態で当該三段孔３９０の第１長孔３９１内に存する部分である。この部分に印など（例えば、線を引いておいたり、色を変えて表示した、切り込みをしたりする）を付けておいてもよい。
【００８８】
図１０（ａ）に示すように、係止ピン４５０の連結部と長穴筒部４２０の切り欠き部４２２とが当該係止ピン４５０の長穴筒部４２０への挿入方向視で一致した状態で第２係止爪４６２が係止孔４２３に係止している。係止孔４２３は、延出壁部４６４が第１係止爪４２１の内側への撓みを規制しない箇所まで破壊分離部品４６６を長穴筒部４２０に押し込める程度に挿入方向に長い長孔形状である。
【００８９】
なお、上述した証紙部品４００が本発明における証明情報表示部品に相当し、上述した遊技盤３０が本発明における遊技部品に相当し、上述した被取付箇所３０ｂが本発明における被取付部に相当し、上述した係止部４４０が本発明における係止手段に相当し、上述した係止ピン４５０が本発明における係止部品に相当し、上述した被切断部４７１が本発明における被破壊部に相当し、上述した第２長孔３９２が本発明における被係止部に相当し、上述した第３長孔３９３が本発明における頭部挿入孔部に相当し、上述した三段孔３９０が本発明における貫通孔に相当し、上述した証紙シールＳ１が本発明における表記部に相当し、上述した証紙ベース４１０が本発明における本体部に相当し、上述した第１係止爪４２１が本発明における第１係止部に相当し、上述した取付部４３０が本発明における止め部に相当し、上述した挿入ピン部４６０が本発明における挿入部に相当し、上述した第２係止爪４６２が本発明における第２係止部に相当し、上述したピン頭部４７０が本発明における頭部に相当し、上述した長穴筒部４２０が本発明における突出部（中空突出部）、破壊分離部品保持部に相当し、上述した延出壁部４６４が本発明における撓み規制部に相当する。
【００９０】
ここで、証紙部品４００の遊技盤３０への取り付け手順について、図１２を用いて説明する。図１２（ａ）〜（ｃ）は、証紙部品４００の遊技盤３０への取り付け手順を示す証紙部品４００などの縦断面図である。
【００９１】
図１２（ａ）に示すように、証紙ベース４１０の前面部４１１に証紙シールＳ１を貼り付ける。そして、証紙シールＳ１が貼り付けられた証紙ベース４１０の長穴筒部４２０を、遊技盤３０の正面視右下箇所（被取付箇所３０ｂ）の三段孔３９０に前面側から挿入する。
【００９２】
図１２（ｂ）に示すように、証紙ベース４１０の長穴筒部４２０が遊技盤３０の三段孔３９０に挿入されると、この長穴筒部４２０の第１係止爪４２１が三段孔３９０の第２長孔３９２に係止した状態となる。この係止状態を解除（つまり、第１係止爪４２１を内側に撓ませて第２長孔３９２との係止を解除）しない限り、証紙ベース４１０の遊技盤３０への取り付け状態が維持される。
【００９３】
続いて、証紙ベース４１０の長穴筒部４２０が遊技盤３０の三段孔３９０の第２長孔３９２に係止した状態において、図１２（ｃ）に示すように、遊技盤３０の裏面側から長穴筒部４２０に係止ピン４５０の挿入ピン部４６０を挿入するようにして当該係止ピン４５０を三段孔３９０に挿入する。
【００９４】
このように係止ピン４５０が証紙ベース４１０の長穴筒部４２０に挿入係止された状態では、図１２（ｃ）に示すように、係止ピン４５０の第２係止爪４６２が長穴筒部４２０の係止孔４２３に係止するとともに、図１０（ｂ）に示すように、係止ピン４５０の延出壁部４６４が長穴筒部４２０の第１係止爪４２１の内側に当接しており、第１係止爪４２１の内側への撓みができないように規制されているので、証紙ベース４１０が遊技盤３０から取り外し不可となっているし、係止ピン４５０も証紙ベース４１０から取り外し不可となっている。
【００９５】
さらに、図１０に示すように、証紙ベース４１０の取付部４３０を遊技盤３０にネジ止めし、証紙部品４００の遊技盤３０への取り付けが完了する。
【００９６】
次に、証紙部品４００の遊技盤３０への取り外し手順について、図１３〜図１６を用いて説明する。図１３（ａ）〜（ｃ）は、証紙部品４００の遊技盤３０からの取り外し手順を示す遊技盤３０の要部縦断面斜視図である。図１４（ａ）は、証紙部品４００を取り外した状態の遊技盤３０の一部破断斜視図であり、図１４（ｂ）は、取り外された証紙部品４００から破壊分離部品４６６を取り出す様子を示す図である。図１５（ａ）〜（ｆ）は、証紙部品４００の遊技盤３０からの取り外し手順を示す証紙部品４００などの縦断面図である。図１６（ａ）〜（ｄ）は、証紙部品４００の遊技盤３０からの取り外し手順を示す証紙部品４００などの横断面図である。
【００９７】
図１３（ａ）、図１５（ａ）及び図１６（ａ）に示すように、係止ピン４５０のピン頭部４７０の被切断部４７１（リブ）を例えば切断工具を用いて切断する。具体的には、図１３（ａ）に示すように、ピン頭部４７０の４箇所の被切断部４７１（リブ）を切断する。また、この被切断部４７１は、図１０（ａ）に示すように、三段孔３９０を正面視した状態で当該三段孔３９０の第１長孔３９１内に存する部分である。
【００９８】
続いて、このように係止ピン４５０のピン頭部４７０と挿入ピン部４６０とが分離された状態とした後に、図１３（ｂ）、図１５（ｂ）及び図１６（ｂ）に示すように、被切断部４７１が破壊された係止ピン４５０のうちで証紙ベース４１０と係止する破壊分離部品４６６を長穴筒部４２０の内部奥側に押し込む。
【００９９】
この破壊分離部品４６６が長穴筒部４２０の内部奥側に押し込まれた状態では、図１３（ｂ）、図１５（ｂ）及び図１６（ｂ）に示すように、破壊分離部品４６６の挿入ピン部４６０の延出壁部４６４が第１係止爪４２１の内側に位置していないため、第１係止爪４２１が内側に撓むことが可能な状態となっている。
【０１００】
続いて、図１３（ｃ）、図１４（ａ）、図１５（ｃ），（ｄ）及び図１６（ｃ）に示すように、証紙ベース４１０の取付部４３０のネジ４３２を緩めて取り外し、第１係止爪４２１を内側に撓ませて第２長孔３９２との係止を解除した状態で証紙部品４００を遊技盤３０から取り外す。
【０１０１】
続いて、図１５（ｅ）に示すように、証紙部品４００の長穴筒部４２０の内部奥側に押し込まれた破壊分離部品４６６を当該長穴筒部４２０の開口側に引き出し、破壊分離部品４６６の第２係止爪４６２を長穴筒部４２０の係止孔４２３から外れるように撓ませて、図１４（ｂ）、図１５（ｆ）及び図１６（ｄ）に示すように、破壊分離部品４６６を証紙ベース４１０の長穴筒部４２０から取り出す。
【０１０２】
このように、証紙部品４００の遊技盤３０からの取り外しが完了する。
【０１０３】
なお、係止ピン４５０のピン頭部４７０の被切断部４７１が切断されており、係止ピン４５０は再使用できない状態であるのに対して、証紙部品４００は、特に損傷を受けていないため、再使用可能である。つまり、製造メーカーは係止ピン４５０を正当所持しており、遊技盤３０の出荷前試験で初期不良が発見された場合には、その初期不良であった遊技盤３０の証紙部品４００を、正常な遊技盤３０に取り付けて、係止ピン４５０を係止させてホールに出荷できる。
【０１０４】
上述したように、本実施例１のパチンコ機１０によれば、遊技製品に関する証明情報を表示した証紙部品４００と、この証紙部品４００が取り付けられる被取付箇所３０ｂを有する遊技盤３０と、証紙部品４００を遊技盤３０の被取付箇所３０ｂから取り外し不可に係止する係止部４４０と、を備え、係止部４４０は、証紙部品４００の遊技盤３０からの取り外しを不可に当該証紙部品４００と係止する、当該証紙部品４００とは別体の係止ピン４５０を備え、この係止ピン４５０は、証紙部品４００を遊技盤３０から取り外すために破壊される被切断部４７１を備えている。したがって、証紙部品４００が遊技盤３０の被取付箇所３０ｂに係止部４４０によって係止されると、係止部４４０の係止ピン４５０を破壊しない限り、証紙部品４００が遊技盤３０から取り外し不可であるため、証紙部品４００と遊技盤３０との一体不可分性を確保でき、証紙部品４００が不正に交換されることを低減できる。
【０１０５】
また、検定合格後で製造メーカー出荷前試験において遊技盤３０（証紙部品４００の取り付け済み）に故障や不良があった場合や、ホール設置作業で遊技盤３０を落下破損させた場合等には、係止ピン４５０の被切断部４７１を破壊することで、証紙部品４００を遊技盤３０から取り外すことができ、製造メーカー側が所有する係止ピン４５０を用いてその取り外した証紙部品４００を例えば検定を受けた新たな遊技盤３０に取り付けて出荷することができ、遊技機のホール設置の際に、複数の遊技機の証紙部品４００を一連の番号順とすることができる。
【０１０６】
また、ホール設置後に、ある遊技機の係止ピン４５０の被切断部４７１が不正に破壊されて、証紙部品４００が遊技盤３０から不正に取り外されて他の遊技機に使用された場合には、当該他の遊技機での係止ピン４５０の被切断部４７１の破壊痕跡や係止ピン４５０の不存在を見ることで、正当作業者（例えば、製造メーカー作業者）でない者によって破壊されたことの推測ができる。
【０１０７】
例えば、検定を受けていない遊技盤３０に、正規の証紙部品４００が取り付けられてホールで不正営業されていたり、証紙部品４００を勝手に付け替えられたりしている場合には、被切断部４７１が破壊された係止ピン４５０を再使用していたり、係止ピン４５０が破壊されてそもそも存在しないため、ホール関係者や製造メーカー作業者は、係止ピン４５０の破壊痕跡や係止ピン４５０の不存在を目ることで、何らかの不正行為があったと推測でき、不正行為を低減できる。
【０１０８】
また、係止ピン４５０の被切断部４７１を破壊すると、証紙部品４００と係止する部品（破壊分離部品４６６）とそれ以外の部品（分離別部品４６８）とに分離されることになるが、作業者が係止ピン４５０の被切断部４７１を破壊する際に、当該破壊によって生じる破壊分離部品４６６及び分離別部品４６８を保持することが困難であり、破壊分離部品４６６や分離別部品４６８が遊技機の中に入り込んだり、見失ったりすることがある。これに対して、長孔筒部４２０は、被切断部４７１が破壊された係止ピン４５０のうちで証紙部品４００と係止する破壊分離部品４６６を保持するので、この破壊分離部品４６６が遊技機の中に入り込んだり、見失ったりすることを低減できる。また、作業者は分離別部品４６８のみを保持して係止ピン４５０の被切断部４７１を破壊すれば良く、被切断部４７１の破壊作業がやり易いし、作業者は分離別部品４６８を保持しているので、この分離別部品４６８が遊技機の中に入り込んだり、見失ったりすることを低減できる。
【０１０９】
その結果、証紙部品４００の交換が可能で、かつ、不正に証紙部品４００を交換した場合にはその発見が可能であるとともに、係止ピン４５０の被切断部４７１の破壊で生じる破壊分離部品４６６を保持できるパチンコ機を提供することができる。
【０１１０】
また、被切断部４７１は、挿入ピン部４６０とピン頭部４７０とを連結する連結部のうちで三段孔３９０を正面視した状態で当該三段孔３９０内に存する部分であり、かかる部分（被切断部４７１）の破壊によって挿入ピン部４６０とピン頭部４７０とが分離されても、挿入ピン部４６０の第２係止爪４６２が長穴筒部４２０の係止孔４２３に係止されているので、その挿入ピン部４６０を有する破壊分離部品４６６が長穴筒部４２０に保持され、作業者が保持する必要が無い。よって、破壊分離部品４６６が遊技機の中に入り込んだり、見失ったりすることを低減できる。
【０１１１】
また、長穴筒部４２０は破壊分離部品４６６を保持するので、破壊分離部品４６６が長穴筒部４２０に保持された状態で証紙部品４００が遊技盤３０から取り外された後に、長穴筒部４２０の係止孔４２３から第１係止爪４２１を押すことで、破壊分離部品４６６の第１係止爪４２１を内側に撓めて、破壊分離部品４６６を長穴筒部４２０の開口から引き出すことができる。具体的には、長孔筒部４２０は、被切断部４７１が破壊された係止ピン４５０のうちで証紙部品４００の第１係止爪４２１と係止する破壊分離部品４６６を、証紙部品４００の第１係止爪４２１との係止が解除不可な係止解除不可位置（図１３（ａ）、図１６（ａ）参照）と、当該証紙部品４００の第１係止爪４２１との係止が解除可能な係止解除可能位置（図１３（ｂ）、図１６（ｂ）参照）と、に移動可能に保持するものである。破壊分離部品４６６が係止解除不可位置と係止解除可能位置とのいずれにあっても保持でき、破壊分離部品４６６の落下や紛失を低減できる。
【０１１２】
また、係止ピン４５０の連結部と長穴筒部４２０の切り欠き部４２２とが当該係止ピン４５０の長穴筒部４２０への挿入方向視で一致した状態で第２係止爪４６２が係止孔４２３に係止している。係止孔４２３は、前記挿入方向に長い長孔としている。したがって、被切断部４７１が破壊された破壊分離部品４６６を長穴筒部４２０の内部奥側に押すと、破壊分離部品４６６の破壊部分が切り欠き部４２２に沿って移動可能であるとともに、破壊分離部品４６６の第２係止爪４６２も長孔形状の係止孔４２３に沿って移動可能であるので、破壊分離部品４６６を長穴筒部４２０の内部奥側に押し込むことができ、破壊分離部品４６６を長穴筒部４２０の内部奥側で確実に保持することができるし、破壊分離部品４６６を長穴筒部４２０の内部奥側に押し込まない場合に比べて、証紙部品４００を取り外し易くできる。また、破壊分離部品４６６を押し込むことで、ピン頭部４７０の外側部分だけとなった分離別部品４６８に対して、その除去された中央部分からアクセスでき、分離別部品４６８が取り易くできる。
【０１１３】
また、三段孔３９０は、当該三段孔３９０に挿入された長穴筒部４２０に係止ピン４５０の挿入ピン部４６０が挿入された状態において、ピン頭部４７０が挿入される第３長孔３９３を備えているので、作業者は、第３長孔３９３に挿入されたピン頭部４７０のうちで分離別部品４６８となる部分を例えば指で軽く抑えて係止ピン４５０の被切断部４７１を破壊すれば良く、被切断部４７１の破壊作業がやり易いし、分離別部品４６８が第３長孔３９３に嵌った状態であるので、被切断部４７１の切断でそのまま落下することがなく、この分離別部品４６８がパチンコ機１０の中に入り込んだり、見失ったりすることを低減できる。
【０１１４】
また、遊技盤３０は、被取付箇所３０ｂの箇所に、第２長孔３９２を有する三段孔３９０が形成されている。証紙部品４００の証紙ベース４１０は、遊技製品に関する証明情報を表記する証紙シールＳ１を有し、遊技盤３０に取り付けられる。証紙ベース４１０の外周側辺の所定箇所から突出した取付部４３０は、遊技盤３０と当接して固定される。また、証紙ベース４１０の遊技盤３０と対向する側箇所に備えられた第１係止爪４２１は、遊技盤３０の三段孔３９０の第２長孔３９２に係止する。したがって、証紙部品４００の正面視では取付部４３０が見えることから、不正行為者は、取付部４３０による固定を解除すれば証紙部品４００を遊技盤３０から取り外すことができると推測して取付部４３０の固定解除作業をするが、取付部４３０の固定を解除しても、証紙部品４００が、正面視で背後に隠れて見えない第１係止爪４２１によって遊技盤３０に係止されて取り外せないため、不正取り外しを諦めることがあり、不正抑止効果がある。
【０１１５】
また、係止ピン４５０は、遊技盤３０の三段孔３９０に証紙部品４００の存する側とは反対側から挿入される挿入ピン部４６０と、この挿入ピン部４６０に設けられた、証紙部品４００と係止する第２係止爪４６２と、挿入ピン部４６０の挿入方向後端側に形成されて当該三段孔３９０の第３長孔３９３を塞ぐピン頭部４７０と、を備えているので、被切断部４７１を破壊しなければ係止ピン４５０が取り外せない構成とすることができ、三段孔３９０の第３長孔３９３がピン頭部４７０で塞がれているので、三段孔３９０から第１係止爪４２１や第２係止爪４６２の係止を不正に解除することも低減できる。
【０１１６】
また、証紙ベース４１０は、遊技盤３０と対向する側箇所に突出形成された、当該証紙ベース４１０が遊技盤３０に取り付けられた状態で三段孔３９０に挿入される長穴筒部４２０を備え、第１係止爪４２１は、長穴筒部４２０のその突出方向に並行に切り欠かれた一対の切り欠き部４２２の間の突出部分の外面箇所に爪が形成されて内側に撓む第１係止爪４２１を複数個備えたものであり、長穴筒部４２０は係止孔４２３を備え、挿入ピン部４６０は、長穴筒部４２０に挿入されるものであり、挿入ピン部４６０は、長穴筒部４２０に挿入されて第１係止爪４２１が内側に撓むことを規制する延出壁部４６４を備え、第２係止爪４６２は、長穴筒部４２０の係止孔４２３に係止する第２係止爪４６２である。したがって、係止ピン４５０の挿入ピン部４６０が長穴筒部４２０に挿入された状態では、係止ピン４５０の挿入ピン部４６０の第２係止爪４６２は、長穴筒部４２０の係止孔４２３に係止し、この挿入ピン部４６０の延出壁部４６４は、長穴筒部４２０に挿入されて第１係止爪４２１が内側に撓むことを規制するので、証紙部品４００の取り外し方向に大きな力をかけて第１係止爪４２１を撓ませてその係止を解除するという不正な係止解除を低減でき、証紙部品４００を無理矢理に外すことができない構成を実現できる。つまり、証紙部品４００の取り外し方向に大きな力をかけたとしても、第１係止爪４２１が撓まないように延出壁部４６４で規制され、証紙部品４００が外れないし、それ以上に力をかけると、証紙部品４００自体が破損（例えば、証紙ベース４１０が破損）してしまい、再利用できない。よって、係止ピン４５０の被切断部４７１を破壊して、延出壁部４６４による規制を解除しなければ、証紙部品４００が遊技盤３０から取り外せない。
【実施例２】
【０１１７】
次に、実施例２のパチンコ機１０について、図１７を用いて説明する。図１７は、前面枠セット１４を取り外した状態の実施例２のパチンコ機１０の正面図である。
【０１１８】
また、実施例２の内枠１２は、図１７に示すように、その証紙用開口部１２ｃの形状が前述した実施例１とは異なっている。つまり、実施例２の証紙用開口部１２ｃは、証紙シールＳ１は見えるが取付部４３０が見えない大きさとしている。
【０１１９】
内枠１２は、図１７に示すように、遊技盤３０での前面側、つまり、遊技盤３０での証紙部品４００の取付面側に位置している。
【０１２０】
内枠１２は、図１７に示すように、証紙シールＳ１が視認可能に証紙部品４００の証紙ベース４１０が挿入される証紙用開口部１２ｃと、証紙ベース４１０の取付部４３０を覆う被覆部１２ｄとを備えている。
【０１２１】
なお、上述した内枠１２が本発明における取付面側部材に相当し、上述した証紙用開口部１２ｃが本発明における開口部に相当し、上述した被覆部１２ｄが本発明における覆い部に相当する。
【０１２２】
上述したように、本実施例２のパチンコ機１０によれば、遊技盤３０での証紙部品４００の取付面側に位置する内枠１２を備え、この内枠１２は、証紙シールＳ１が視認可能に証紙部品４００の証紙ベース４１０が挿入される証紙用開口部１２ｃと、証紙ベース４１０に取付部４３０を覆う被覆部１２ｄとを備えているので、遊技盤３０と内枠１２とを離さないと、証紙ベース４１０の取付部４３０が露わにならないため、証紙部品４００の不正取り外しを低減できる。
【実施例３】
【０１２３】
次に、実施例３のパチンコ機１０について、図１８を用いて説明する。図１８は、実施例３の遊技盤３０および証紙部品５００を示す概略斜視図である。
【０１２４】
実施例３の遊技盤３０及び証紙部品５００の構成を以下に説明する。
【０１２５】
遊技盤３０は、図１８に示すように、その正面視右下箇所（被取付箇所３０ｂ）に、取付部品４８０がスライド取り付け可能な被取付窪み部４９０を備えている。この被取付窪み部４９０には、取付部品４８０の第１爪４８１が係止する第１係止穴部４９１が形成されている。
【０１２６】
取付部品４８０は、図１８に示すように、証紙部品５００の第２係止穴部５０２に係止する第２爪４８２を備えている。
【０１２７】
証紙部品５００は、図１８に示すように、遊技製品に関する証明情報を表記する証紙シールＳ１と、取付部品４８０への取付状態において第２爪４８２が係止する第２係止穴部５０２とを備えている。第２係止穴部５０２は、所定方向視で証紙シールＳ１と重ならない箇所に備えられている。
【０１２８】
証紙部品５００は、第２爪４８２と第２係止穴部５０２との係止状態が所定方向視（例えば、遊技盤３０の正面視）で視認可能なように透明樹脂成形部品としている。
【０１２９】
ここで、遊技盤３０への証紙部品５００の取り付け手順について説明する。
【０１３０】
図１８に示すように、取付部品４８０を遊技盤３０の被取付窪み部４９０にスライド装着すると、取付部品４８０の第１爪４８１が遊技盤の第１係止穴部４９１に係止された状態となる。そして、取付部品４８０のネジ用穴４８３にネジを挿入して遊技盤３０にネジ止め固定される。
【０１３１】
続いて、遊技盤３０に固定された取付部品４８０に証紙部品５００をスライド装着する。この装着状態では、証紙部品５００の第２爪４８２が取付部品４８０の第２係止穴部５０２に係止された状態となる。
【０１３２】
こうすることで、証紙部品５００の遊技盤３０への取り付けが完了する。この取り付け状態では、取付部品４８０の第２爪４８２が証紙部品５００の第２係止穴部５０２に係止された状態であるため、証紙部品５００を無理矢理に引き抜いて取付部品４８０の第２爪４８２を破壊しなければ、証紙部品５００が取付部品４８０から引き抜くことができない。また、取付部品４８０のネジ用穴４８３に挿入されて遊技盤３０に固定するネジを外して、取付部品４８０ごと無理矢理に引き抜けば取付部品４８０の第１爪４８１が破損する。
【０１３３】
つまり、証紙部品５００を取り外す場合には、証紙部品５００を引き抜いて取付部品４８０の第２爪４８２を破損させて、取り外すことができる。製造メーカーは、取付部品４８０を正当所持しており、遊技盤３０の出荷前試験で初期不良が発見された場合には、その初期不良であった遊技盤３０の証紙部品５００を、正常な遊技盤３０の取付部品４８０に取り付けて、取付部品４８０に係止させてホールに出荷できる。
【０１３４】
上述したように、本実施例３のパチンコ機１０によれば、証紙部品５００が取付部品４８０に取り付けられた状態では、取付部品４８０の第２爪４８２が証紙部品５００の第２係止穴部５０２に係止された状態となっており、証紙部品５００を取付部品４８０から取り外すと、証紙部品５００については破損無く取り外せるが、取付部品４８０の第２爪４８２が破損するので、第２爪４８２が折れた取付部品４８０に証紙部品５００が取り付けられたとしても、証紙部品５００の透明部分（透明部）を介して係止状態を見ることができ、取付部品４８０の第２爪４８２が破損していることがわかり、正当作業者（例えば、製造メーカー作業者）でない者によって破壊されたことの推測ができる。
【０１３５】
また、取付部品４８０の遊技盤３０に固定するネジを外して、取付部品４８０ごと無理矢理に引き抜けば取付部品４８０の第１爪４８１が破損するので、第１爪４８１が折れた取付部品４８０に証紙部品５００が取り付けられたとしても、証紙部品５００の透明部分（透明部）を介して係止状態を見ることができ、取付部品４８０の第１爪４８１が破損していることがわかり、正当作業者（例えば、製造メーカー作業者）でない者によって破壊されたことの推測ができる。
【０１３６】
この発明は、上記実施形態に限られることはなく、同様の効果を奏する別の構成としてもよく、例えば下記のように変形実施することができる。
【０１３７】
＜１＞上述した実施例１，２では、係止ピン４５０が証紙部品４００に係止している（詳細には、係止ピン４５０の第２係止爪４６２が証紙部品４００の長穴筒部４２０の係止孔４２３に係止している）が、係止ピン４５０が遊技盤３０に係止する（係止ピン４５０が遊技盤３０の三段孔３９０に係止して当該三段孔３９０を塞ぐ）ような構成であってもよい。係止ピン４５０が遊技盤３０の三段孔３９０に係止されることでこの係止ピン４５０が遊技盤３０から取り外し不可となり、係止ピン４５０が三段孔３９０を塞ぐことで証紙部品４００の長穴筒部４２０の第１係止爪４２１にアクセスすることができず、証紙部品４００も遊技盤３０から取り外し不可とすることができる。
【０１３８】
＜２＞上述した各実施例では、証紙ベース４１０を、例えば樹脂成型品としているが、金属製としてもよい。
【０１３９】
＜３＞上述した各実施例では、証紙ベース４１０に証紙シールＳ１を貼り付けているが、証紙ベース４１０自体に証明情報を凹凸形成したり刻印形成したりしてもよい。また、証紙シールＳ１に替えて証紙プレートを採用し、この証紙プレートに表記（印字、印刷、刻印、凸形成、凹形成、凹凸形成など）で証明情報を表し、証紙ベース４１０に接着固定するようにしてもよい。また、電子ペーパーや液晶表示部などに証明情報を表示する表示装置や、電子情報を送受信可能な電子部品等（例えば、電子チップ）からの電子情報に基づいて証明情報を表示するものを採用してもよいし、電子情報を送受信可能な電子チップを証紙シールＳ１に内蔵するようにしてもよい。
【０１４０】
＜４＞上述した実施例１，２では、係止ピン４５０のピン頭部４７０に４個の被切断部４７１を形成しているが、それ以外の個数としてもよい。
【０１４１】
＜５＞上述した実施例１，２では、貫通孔として三段孔３９０を採用しているが、段差の無い単孔や、二段孔などを採用してもよい。例えば、単孔とした場合には、単孔の内周所定箇所（例えば、内周で対向二箇所）に証紙ベース４１０の長穴筒部４２０の第１係止爪４２１が係止される第１凹部を形成するとともに、単孔の内周で第１凹部よりも後方所定箇所（例えば、内周で対向二箇所）に係止ピン４５０の第２係止爪４６２が係止される第２凹部を形成するし、係止ピン４５０は遊技盤３０の単孔の第２凹部に係止した状態で単孔の開口を塞ぐようにする構成が挙げられる。
【０１４２】
また、貫通孔として長穴形状の三段孔３９０を採用しているが、円形や矩形など各種の貫通孔を採用してもよい。
【０１４３】
＜６＞上述した各実施例では、遊技部品としての遊技盤３０に、証明情報表示部品としての証紙部品４００，５００を取り付けることを例に挙げて説明しているが、遊技機（パチンコ機、スロットマシンなど）に用いられる各種の部品・装置・部材に採用してもよい。例えば、遊技部品として、前面枠セット１４、入賞装置（一般入賞口３１、可変入賞装置３２、第１の始動口３３ａ、第２の始動口３３ｂ）、センターフレーム４７などが挙げられる。
【０１４４】
＜７＞上述した実施例１，２では、第１係止爪４２１を対向するように２個設けているが、１個としてもよい。
【０１４５】
＜８＞本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特定遊技状態となるパチンコ機として実施してもよい。また、球が所定の入賞口に入ることで特定遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１４６】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０１４７】
なお、本明細書は、次のような遊技機に係る発明も開示している。
【０１４８】
（１）  遊技者に遊技を提供する遊技機において、
遊技製品に関する証明情報を表示した証明情報表示部品と、
前記証明情報表示部品が取り付けられる被取付部を有する遊技部品と、
前記証明情報表示部品を前記遊技部品の前記被取付部から取り外し不可に係止する係止手段と、を備え、
前記係止手段は、前記証明情報表示部品の前記遊技部品からの取り外しを不可に当該証明情報表示部品と係止する、当該証明情報表示部品とは別体の係止部品を備え、
前記係止部品は、破壊されることによって前記証明情報表示部品を前記遊技部品から取り外すことを可能とする被破壊部を備え、
前記被破壊部が破壊された前記係止部品のうちで前記証明情報表示部品と係止する破壊分離部品を保持する破壊分離部品保持部を備えている
ことを特徴とする遊技機。
【０１４９】
前記（１）に記載の遊技機によれば、証明情報表示部品は、遊技製品に関する証明情報を表示する。遊技部品は、証明情報表示部品が取り付けられる被取付部を有する。係止手段は、証明情報表示部品を遊技部品の被取付部から取り外し不可に係止する。係止手段の係止部品は、証明情報表示部品とは別体であり、証明情報表示部品の遊技部品からの取り外しを不可に当該証明情報表示部品と係止する。この係止部品の被破壊部が破壊されることによって、証明情報表示部品を遊技部品から取り外すことが可能となる。
【０１５０】
したがって、証明情報表示部品が遊技部品の被取付部に係止手段によって係止されると、係止手段の係止部品を破壊しない限り、証明情報表示部品が遊技部品から取り外し不可であるため、証明情報表示部品と遊技部品との一体不可分性を確保でき、証明情報表示部品が不正に交換されることを低減できる。
【０１５１】
また、検定合格後で製造メーカー出荷前試験において遊技部品（証明情報表示部品の取り付け済み）に故障や不良があった場合や、ホール設置作業で遊技部品を落下破損させた場合等には、係止部品の被破壊部を破壊することで、証明情報表示部品を遊技部品から取り外すことができ、製造メーカー側が所有する係止部品を用いてその取り外した証明情報表示部品を例えば検定を受けた新たな遊技部品に取り付けて出荷することができ、遊技機のホール設置の際に、複数の遊技機の証明情報表示部品を一連の番号順とすることができる。
【０１５２】
また、ホール設置後に、ある遊技機の係止部品の被破壊部が不正に破壊されて、証明情報表示部品が遊技部品から不正に取り外されて他の遊技機に使用された場合には、当該他の遊技機での係止部品の被破壊部の破壊痕跡や係止部品の不存在を見ることで、正当作業者（例えば、製造メーカー作業者）でない者によって破壊されたことの推測ができる。
【０１５３】
例えば、検定を受けていない遊技部品に、正規の証明情報表示部品が取り付けられてホールで不正営業されていたり、証明情報表示部品を勝手に付け替えられたりしている場合には、被破壊部が破壊された係止部品を再使用していたり、係止部品が破壊されてそもそも存在しないため、ホール関係者や製造メーカー作業者は、係止部品の破壊痕跡や係止部品の不存在を目ることで、何らかの不正行為があったと推測でき、不正行為を低減できる。
【０１５４】
また、係止部品の被破壊部を破壊すると、証明情報表示部品と係止する部品（破壊分離部品）とそれ以外の部品（分離別部品）とに分離されることになるが、作業者が係止部品の被破壊部を破壊する際に、当該破壊によって生じる破壊分離部品及び分離別部品を保持することが困難であり、破壊分離部品や分離別部品が遊技機の中に入り込んだり、見失ったりすることがある。これに対して、破壊部品保持部は、被破壊部が破壊された係止部品のうちで証明情報表示部品と係止する破壊分離部品を保持するので、この破壊分離部品が遊技機の中に入り込んだり、見失ったりすることを低減できる。また、作業者は分離別部品のみを保持して係止部品の被破壊部を破壊すれば良く、被破壊部の破壊作業がやり易いし、作業者は分離別部品を保持しているので、この分離別部品が遊技機の中に入り込んだり、見失ったりすることを低減できる。
【０１５５】
その結果、証明情報表示部品（例えば、証紙）の交換が可能で、かつ、不正に証明情報表示部品を交換した場合にはその発見が可能であるとともに、係止部品の被破壊部の破壊で生じる破壊分離部品を保持できる遊技機を提供することができる。
【０１５６】
また、破壊分離部品保持部は、被破壊部が破壊された係止部品のうちで証明情報表示部品と係止する破壊分離部品を、証明情報表示部品との係止が解除不可な係止解除不可位置と、当該証明情報表示部品との係止が解除可能な係止解除可能位置と、に移動可能に保持するものである。破壊分離部品が係止解除不可位置と係止解除可能位置とのいずれにあっても保持でき、破壊分離部品の落下や紛失を低減できる。
【０１５７】
なお、本明細書中で言う「証明情報」としては、所定の検定機関や検定団体が発行する検定番号や承認番号、製造メーカーが付す製造番号などが挙げられる。また、本明細書中で言う「遊技部品」は、遊技機に用いられる各種の部品を意味する。この「遊技部品」として例示すれば、遊技盤、内枠、前面枠、入賞装置、センターフレームなどが挙げられる。また、本明細書中で言う「係止手段による取り外し不可に係止する」とは、係止部品の少なくとも一部を破壊しなければ証明情報表示部品を取り外しできないことを意味する。
【０１５８】
（２）  前記（１）に記載の遊技機において、
前記遊技部品は、前記被取付部の箇所に、被係止部を有する貫通孔が形成され、
前記証明情報表示部品は、遊技製品に関する証明情報を表記する表記部を有する、前記遊技部品に取り付けられる本体部を備え、
前記本体部は、前記遊技部品と対向する側箇所に突出形成された、当該本体部が前記遊技部品に取り付けられた状態で前記貫通孔に挿入される突出部を備え、
前記突出部は、当該突出部の突出方向に並行に切り欠かれた一対の切り欠き部の間の突出部分の外面箇所に形成された、前記貫通孔の前記被係止部に係止する第１係止爪を備えるとともに、係止孔を備え、
前記係止部品は、前記遊技部品の前記貫通孔に前記証明情報表示部品の存する側とは反対側から挿入されて前記突出部に挿入される挿入部と、この挿入部に設けられた、前記突出部の前記係止孔に係止する第２係止爪と、前記挿入部に設けられた、前記突出部に挿入されて前記第１係止爪が内側に撓むことを規制する撓み規制部と、前記挿入部の挿入方向後端側に形成されて当該貫通孔を塞ぐ頭部と、を備え、
前記被破壊部は、前記挿入部と前記頭部とを連結する連結部のうちで前記貫通孔を正面視した状態で当該貫通孔内に存する部分であり、
前記破壊分離部品保持部は、前記突出部である
ことを特徴とする遊技機。
【０１５９】
前記（２）に記載の遊技機によれば、遊技部品は、被取付部の箇所に、被係止部を有する貫通孔が形成されている。証明情報表示部品の本体部は、遊技製品に関する証明情報を表記する表記部を有し、遊技部品に取り付けられる。本体部の突出部は、当該本体部の遊技部品と対向する側箇所に突出形成されたものであり、当該本体部が遊技部品に取り付けられた状態で貫通孔に挿入される。本体部の突出部は、突出部のその突出方向に並行に切り欠かれた一対の切り欠き部の間の突出部分の外面箇所に形成された、貫通孔の被係止部に係止する第１係止爪を備えるとともに、係止孔を備えている。係止部品は、遊技部品の貫通孔に証明情報表示部品の存する側とは反対側から挿入されて突出部に挿入される挿入部と、この挿入部の挿入方向後端側に形成されて当該貫通孔を塞ぐ頭部と、を備えている。係止部品の挿入部が突出部に挿入された状態では、係止部品の挿入部の第２係止爪は、突出部の係止孔に係止し、この挿入部の撓み規制部は、突出部に挿入されて第１係止爪が内側に撓むことを規制するので、証明情報表示部品の取り外し方向に大きな力をかけて第１係止爪を撓ませてその係止を解除するという不正な係止解除を低減でき、証明情報表示部品を無理矢理に外すことができない構成を実現できる。つまり、証明情報表示部品の取り外し方向に大きな力をかけたとしても、第１係止爪が撓まないように撓み規制部で規制され、証明情報表示部品が外れないし、それ以上に力をかけると、証明情報表示部品自体が破損（例えば、本体部が破損）してしまい、再利用できない。よって、係止部品の被破壊部を破壊して、撓み規制部による規制を解除しなければ、証明情報表示部品が遊技部品から取り外せない。
【０１６０】
また、被破壊部は、挿入部と頭部とを連結する連結部のうちで貫通孔を正面視した状態で当該貫通孔内に存する部分であり、かかる部分（被破壊部）の破壊によって挿入部と頭部とが分離されても、挿入部の第２係止爪が突出部の係止孔に係止されているので、その挿入部を有する破壊分離部品が突出部に保持され、作業者が保持する必要が無い。よって、破壊分離部品が遊技機の中に入り込んだり、見失ったりすることを低減できる。
【０１６１】
また、破壊分離部品保持部は突出部であるので、破壊分離部品が突出部に保持された状態で証明情報表示部品が遊技部品から取り外された後に、突出部の係止孔から第１係止爪を押すことで、破壊分離部品の第１係止爪を内側に撓めて、破壊分離部品を突出部の開口から引き出すことができる。
【０１６２】
なお、本明細書中で言う「切り欠き部」とは、実際に突出部の該当箇所を切り取って形成したものであってもよいが、突出部の形成と同時に当該突出部の該当箇所にへこみ部ができるという意味である。例えば、金型は予め切り欠き部を形成するための形状を有しており、この金型に樹脂を充填して、金型を取り外すと突出部の完成と同時に切り欠き部（へこみ部）も形成されていることを意味する。
【０１６３】
（３）  前記（２）に記載の遊技機において、
前記係止部品の前記連結部と前記突出部の前記切り欠き部とが当該係止部品の前記突出部への挿入方向視で一致した状態で前記第２係止爪が前記係止孔に係止しており、
前記係止孔は、前記挿入方向に長い長孔形状である
ことを特徴とする遊技機。
【０１６４】
前記（３）に記載の遊技機によれば、係止部品の連結部と突出部の切り欠き部とが当該係止部品の突出部への挿入方向視で一致した状態で第２係止爪が係止孔に係止している。係止孔は、前記挿入方向に長い長孔としている。したがって、被破壊部が破壊された破壊分離部品を突出部の内部奥側に押すと、破壊分離部品の破壊部分が切り欠き部に沿って移動可能であるとともに、破壊分離部品の第２係止爪も長孔形状の係止孔に沿って移動可能であるので、破壊分離部品を突出部の内部奥側に押し込むことができ、破壊分離部品を突出部の内部奥側で確実に保持することができるし、破壊分離部品を突出部の内部奥側に押し込まない場合に比べて、証明情報表示部品を取り外し易くできる。また、破壊分離部品を押し込むことで、頭部の外側部分だけとなった分離別部品に対して、その除去された中央部分からアクセスでき、分離別部品が取り易くできる。
【０１６５】
（４）  前記（２）または（３）に記載の遊技機において、
前記貫通孔は、当該貫通孔に挿入された前記突出部に前記係止部品の前記挿入部が挿入された状態において、前記頭部が挿入される頭部挿入孔部を備えている
ことを特徴とする遊技機。
【０１６６】
前記（４）に記載の遊技機によれば、貫通孔は、当該貫通孔に挿入された突出部に係止部品の挿入部が挿入された状態において、頭部が挿入される頭部挿入孔部を備えているので、作業者は、頭部挿入孔部に挿入された頭部のうちの分離別部品となる部分を抑えて係止部品の被破壊部を破壊すれば良く、被破壊部の破壊作業がやり易いし、分離別部品が頭部挿入孔部に嵌った状態であるので、被破壊部の切断でそのまま落下することがなく、この分離別部品が遊技機の中に入り込んだり、見失ったりすることを低減できる。
【０１６７】
（５）  遊技者に遊技を提供する遊技機において、
遊技製品に関する証明情報を表示した証明情報表示部品と、
前記証明情報表示部品が取り付けられる被取付部を有する遊技部品と、
前記証明情報表示部品を前記遊技部品の前記被取付部から取り外し不可に係止する係止手段と、を備え、
前記係止手段は、前記証明情報表示部品の前記遊技部品からの取り外しを不可に当該証明情報表示部品または前記遊技部品と係止する、当該証明情報表示部品とは別体の係止部品を備え、
前記係止部品は、破壊されることによって前記証明情報表示部品を前記遊技部品から取り外すことを可能とする被破壊部を備えている
ことを特徴とする遊技機。
【０１６８】
前記（５）に記載の遊技機によれば、証明情報表示部品は、遊技製品に関する証明情報を表示する。遊技部品は、証明情報表示部品が取り付けられる被取付部を有する。係止手段は、証明情報表示部品を遊技部品の被取付部から取り外し不可に係止する。係止手段の係止部品は、証明情報表示部品とは別体であり、証明情報表示部品の遊技部品からの取り外しを不可に当該証明情報表示部品または遊技部品と係止する。この係止部品の被破壊部が破壊されることによって、証明情報表示部品を遊技部品から取り外すことが可能となる。
【０１６９】
したがって、証明情報表示部品が遊技部品の被取付部に係止手段によって係止されると、係止手段の係止部品を破壊しない限り、証明情報表示部品が遊技部品から取り外し不可であるため、証明情報表示部品と遊技部品との一体不可分性を確保でき、証明情報表示部品が不正に交換されることを低減できる。
【０１７０】
また、検定合格後で製造メーカー出荷前試験において遊技部品（証明情報表示部品の取り付け済み）に故障や不良があった場合や、ホール設置作業で遊技部品を落下破損させた場合等には、係止部品の被破壊部を破壊することで、証明情報表示部品を遊技部品から取り外すことができ、製造メーカー側が所有する係止部品を用いてその取り外した証明情報表示部品を例えば検定を受けた新たな遊技部品に取り付けて出荷することができ、遊技機のホール設置の際に、複数の遊技機の証明情報表示部品を一連の番号順とすることができる。
【０１７１】
また、ホール設置後に、ある遊技機の係止部品の被破壊部が不正に破壊されて、証明情報表示部品が遊技部品から不正に取り外されて他の遊技機に使用された場合には、当該他の遊技機での係止部品の被破壊部の破壊痕跡や係止部品の不存在を見ることで、正当作業者（例えば、製造メーカー作業者）でない者によって破壊されたことの推測ができる。
【０１７２】
例えば、検定を受けていない遊技部品に、正規の証明情報表示部品が取り付けられてホールで不正営業されていたり、証明情報表示部品を勝手に付け替えられたりしている場合には、被破壊部が破壊された係止部品を再使用していたり、係止部品が破壊されてそもそも存在しないため、ホール関係者や製造メーカー作業者は、係止部品の破壊痕跡や係止部品の不存在を目ることで、何らかの不正行為があったと推測でき、不正行為を低減できる。その結果、証明情報表示部品（例えば、証紙）の交換が可能で、かつ、不正に証明情報表示部品を交換した場合にはその発見が可能な遊技機を提供することができる。
【０１７３】
なお、本明細書中で言う「証明情報」としては、所定の検定機関や検定団体が発行する検定番号や承認番号、製造メーカーが付す製造番号などが挙げられる。また、本明細書中で言う「遊技部品」は、遊技機に用いられる各種の部品を意味する。この「遊技部品」として例示すれば、遊技盤、内枠、前面枠、入賞装置、センターフレームなどが挙げられる。また、本明細書中で言う「係止手段による取り外し不可に係止する」とは、係止部品の少なくとも一部を破壊しなければ証明情報表示部品を取り外しできないことを意味する。
【０１７４】
（６）  前記（５）に記載の遊技機において、
前記遊技部品は、前記被取付部の箇所に、被係止部を有する貫通孔が形成され、
前記証明情報表示部品は、遊技製品に関する証明情報を表記する表記部を有する、前記遊技部品に取り付けられる本体部を備え、
前記本体部は、前記遊技部品と対向する側箇所に、前記遊技部品の前記貫通孔の前記被係止部に係止する第１係止部を備えるとともに、当該本体部の外周側辺の所定箇所から突出する、前記遊技部品と当接して固定されるとともに前記証明情報表示部品の正面視において視認可能な止め部を備えており、
前記係止部品は、前記遊技部品の前記貫通孔に前記証明情報表示部品の存する側とは反対側から挿入される挿入部と、この挿入部に設けられた、前記証明情報表示部品または前記遊技部品と係止する第２係止部と、前記挿入部の挿入方向後端側に形成されて当該貫通孔を塞ぐ頭部と、を備えている
ことを特徴とする遊技機。
【０１７５】
前記（６）に記載の遊技機によれば、遊技部品は、被取付部の箇所に、被係止部を有する貫通孔が形成されている。証明情報表示部品の本体部は、遊技製品に関する証明情報を表記する表記部を有し、遊技部品に取り付けられる。本体部の外周側辺の所定箇所から突出した止め部は、証明情報表示部品の正面視において視認可能であり、遊技部品と当接して固定される。また、本体部の遊技部品と対向する側箇所に備えられた第１係止部は、遊技部品の貫通孔の被係止部に係止する。したがって、証明情報表示部品の正面視では止め部が見えることから、不正行為者は、止め部による固定を解除すれば証明情報表示部品を遊技部品から取り外すことができると推測して止め部の固定解除作業をするが、止め部の固定を解除しても、証明情報表示部品が、正面視で背後に隠れて見えない第１係止部によって遊技部品に係止されて取り外せないため、不正取り外しを諦めることがあり、不正抑止効果がある。
【０１７６】
また、係止部品は、遊技部品の貫通孔に証明情報表示部品の存する側とは反対側から挿入される挿入部と、この挿入部に設けられた、証明情報表示部品または遊技部品と係止する第２係止部と、挿入部の挿入方向後端側に形成されて当該貫通孔を塞ぐ頭部と、を備えているので、被破壊部を破壊しなければ係止部品が取り外せない構成とすることができ、貫通孔が頭部で塞がれているので、貫通孔から第１係止部や第２係止部の係止を不正に解除することも低減できる。
【０１７７】
また、頭部が遊技部品の窪み部に嵌り込んで、面一または凹んだ状態であれば、簡単に頭部に触れないし、集合板で覆うことができ、さらに不正を抑止することができる。
【０１７８】
なお、本明細書中で言う「表記」とは、印字、印刷、刻印、凸形成、凹形成、凹凸形成などで証明情報を表すことや、電子ペーパーや液晶表示部などに証明情報を表示することや、電子情報を送受信可能な電子部品等（例えば、電子チップ）からの電子情報に基づいて証明情報を表示するものや、電子情報を送受信可能な電子チップを証紙シールに内蔵するものも含む。また、本明細書中で言う「挿入部の挿入方向後端側」とは、挿入部自体の挿入方向後端側であってもよいし、挿入部とは別体であってもよい。
【０１７９】
（７）  前記（５）に記載の遊技機において、
前記遊技部品は、前記被取付部の箇所に、被係止部を有する貫通孔が形成され、
前記証明情報表示部品は、遊技製品に関する証明情報を表記する表記部を有する、前記遊技部品に取り付けられる本体部を備え、
前記本体部は、前記遊技部品と対向する側箇所に、前記遊技部品の前記貫通孔の前記被係止部に係止する第１係止部を備えるとともに、当該本体部の外周側辺の所定箇所から突出する、前記遊技部品と当接して固定される止め部を備えており、
前記係止部品は、前記遊技部品の前記貫通孔に前記証明情報表示部品の存する側とは反対側から挿入される挿入部と、この挿入部に設けられた、前記証明情報表示部品または前記遊技部品と係止する第２係止部と、前記挿入部の挿入方向後端側に形成されて当該貫通孔を塞ぐ頭部と、を備え、
前記遊技部品での前記証明情報表示部品の取付面側に位置する取付面側部材を備え、
前記取付面側部材は、前記表記部が視認可能に前記証明情報表示部品の前記本体部が挿入される開口部と、前記止め部を覆う覆い部とを備えている
ことを特徴とする遊技機。
【０１８０】
前記（７）に記載の遊技機によれば、遊技部品は、被取付部の箇所に、被係止部を有する貫通孔が形成されている。証明情報表示部品の本体部は、遊技製品に関する証明情報を表記する表記部を有し、遊技部品に取り付けられる。本体部の外周側辺の所定箇所から突出した止め部は、遊技部品と当接して固定される。また、本体部の遊技部品と対向する側箇所に備えられた第１係止部は、遊技部品の貫通孔の被係止部に係止する。取付面側部材は、遊技部品での証明情報表示部品の取付面側に位置する。取付面側部材の開口部は、表記部が視認可能に、証明情報表示部品の本体部が挿入される。取付面側部材の覆い部は、止め部を覆う。したがって、遊技部品と取付面側部材とを離さないと、本体部の止め部が露わにならないため、証明情報表示部品の不正取り外しを低減できる。
【０１８１】
また、止め部は遊技部品に対してネジ止めする構成以外に、係止する構成を採用してもよい。また、覆い部を取付面側部材としての枠体（例えば、内枠）で構成すれば、部品点数を少なくすることができる。
【０１８２】
（８）  前記（６）または（７）に記載の遊技機において、
前記本体部は、前記遊技部品と対向する側箇所に突出形成された、当該本体部が前記遊技部品に取り付けられた状態で前記貫通孔に挿入される突出部を備え、
前記第１係止部は、前記突出部のその突出方向に並行に切り欠かれた一対の切り欠き部の間の突出部分の外面箇所に爪が形成されて内側に撓む第１係止爪を備えたものであり、
前記突出部は係止孔を備え、
前記挿入部は、前記突出部に挿入されるものであり、
前記挿入部は、前記突出部に挿入されて前記第１係止爪が内側に撓むことを規制する撓み規制部を備え、
前記第２係止部は、前記突出部の前記係止孔に係止する第２係止爪である
ことを特徴とする遊技機。
【０１８３】
前記（８）に記載の遊技機によれば、本体部の突出部は、当該本体部の遊技部品と対向する側箇所に突出形成されたものであり、当該本体部が遊技部品に取り付けられた状態で貫通孔に挿入される。本体部の第１係止部は、突出部のその突出方向に並行に切り欠かれた一対の切り欠き部の間の突出部分の外面箇所に爪が形成されて内側に撓む第１係止爪を備えたものである。突出部は係止孔を備えている。係止部品の挿入部は、突出部に挿入されるものである。係止部品の挿入部が突出部に挿入された状態では、係止部品の挿入部の第２係止爪は、突出部の係止孔に係止し、この挿入部の撓み規制部は、突出部に挿入されて第１係止爪が内側に撓むことを規制するので、証明情報表示部品の取り外し方向に大きな力をかけて第１係止爪を撓ませてその係止を解除するという不正な係止解除を低減でき、証明情報表示部品を無理矢理に外すことができない構成を実現できる。つまり、証明情報表示部品の取り外し方向に大きな力をかけたとしても、第１係止爪が撓まないように撓み規制部で規制され、証明情報表示部品が外れないし、それ以上に力をかけると、証明情報表示部品自体が破損（例えば、本体部が破損）してしまい、再利用できない。よって、係止部品の被破壊部を破壊して、撓み規制部による規制を解除しなければ、証明情報表示部品が遊技部品から取り外せない。
【０１８４】
なお、本明細書中で言う「切り欠き部」とは、実際に突出部の該当箇所を切り取って形成したものであってもよいが、突出部の形成と同時に当該突出部の該当箇所にへこみ部ができるという意味である。例えば、金型は予め切り欠き部を形成するための形状を有しており、この金型に樹脂を充填して、金型を取り外すと突出部の完成と同時に切り欠き部（へこみ部）も形成されていることを意味する。
【０１８５】
（９）  前記（５）に記載の遊技機において、
前記係止部品は、前記被取付部に取り付けられた取付部品であり、
前記被破壊部は、前記取付部品に設けられた、前記証明情報表示部品と係止する係止爪であり、
前記証明情報表示部品は、遊技製品に関する証明情報を表記する表記部と、前記取付部品への取付状態において前記係止爪が係止する係止孔とを備え、
前記係止孔は、所定方向視で前記表記部と重ならない箇所に備えられており、
前記証明情報表示部品は、前記係止爪と前記係止孔との係止状態が前記所定方向視で視認可能な透明部を備えている
ことを特徴とする遊技機。
【０１８６】
前記（９）に記載の遊技機によれば、係止部品は、被取付部に取り付けられた取付部品である。被破壊部は、取付部品に設けられた、証明情報表示部品と係止する係止爪である。証明情報表示部品は、遊技製品に関する証明情報を表記する表記部と、取付部品への取付状態において係止爪が係止する係止孔とを備えている。係止孔は、所定方向視で表記部と重ならない箇所に備えられている。証明情報表示部品は、係止爪と係止孔との係止状態が前記所定方向視で視認可能な透明部を備えている。したがって、証明情報表示部品が取付部品に取り付けられた状態では、取付部品の係止爪が証明情報表示部品の係止孔に係止された状態となっており、証明情報表示部品を取付部品から取り外すと、証明情報表示部品については破損無く取り外せるが、取付部品の係止爪が破損するので、係止爪が折れた取付部品に証明情報表示部品が取り付けられたとしても、証明情報表示部品の透明部を介して係止状態を見ることができ、取付部品の係止爪が破損していることがわかり、正当作業者（例えば、製造メーカー作業者）でない者によって破壊されたことの推測ができる。
【０１８７】
（１０）  前記（１）から（９）のいずれか一つに記載の遊技機において、
前記遊技機はパチンコ機であることを特徴とする遊技機。
【０１８８】
前記（１０）に記載の遊技機によれば、証明情報表示部品（例えば、証紙）の交換が可能で、かつ、不正に証明情報表示部品を交換した場合にはその発見が可能なパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特定遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１８９】
（１１）  前記（１）から（９）のいずれか一つに記載の遊技機において、
前記遊技機はスロットマシンであることを特徴とする遊技機。
【０１９０】
前記（１１）に記載の遊技機によれば、証明情報表示部品（例えば、証紙）の交換が可能で、かつ、不正に証明情報表示部品を交換した場合にはその発見が可能なスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【０１９１】
（１２）  前記（１）から（９）のいずれか一つに記載の遊技機において、
前記遊技機はパチンコ機とスロットマシンとを融合させたものであることを特徴とする遊技機。
【０１９２】
前記（１２）に記載の遊技機によれば、証明情報表示部品（例えば、証紙）の交換が可能で、かつ、不正に証明情報表示部品を交換した場合にはその発見が可能な、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【０１９３】
なお、本明細書に開示する種々の発明に関して、全ての構成要素について種々の組み合わせが可能であり、他の構成要件がなくても単独で発明として成立する点に留意されたい。
【産業上の利用可能性】
【０１９４】
以上のように、この発明は、パチンコ機、スロットマシン等の遊技機に適している。
【符号の説明】
【０１９５】
１２  …内枠（取付面側部材）
１２ｃ…証紙用開口部（開口部）
１２ｄ…被覆部（覆い部）
３０  …遊技盤（遊技部品）
３０ｂ…被取付箇所
３９０  …三段孔（貫通孔）
３９２  …第２長孔（被係止部）
３９３  …第３長孔（頭部挿入孔部）
４００  …証紙部品（証明情報表示部品）
４１０  …証紙ベース（本体部）
４２０  …長穴筒部（突出部、破壊分離部品保持部）
４２１  …第１係止爪（第１係止部）
４３０  …取付部（止め部）
４４０  …係止部（係止手段）
４５０  …係止ピン（係止部品）
４６０  …挿入ピン部（挿入部）
４６２  …第２係止爪（第２係止部）
４６４  …延出壁部（撓み規制部）
４７０  …ピン頭部（頭部）
４７１  …被切断部（被破壊部）
Ｓ１  …証紙シール（表記部）
【図１】
2010268953.tif 000003
【図２】
2010268953.tif 000004
【図３】
2010268953.tif 000005
【図４】
2010268953.tif 000006
【図５】
2010268953.tif 000007
【図６】
2010268953.tif 000008
【図７】
2010268953.tif 000009
【図８】
2010268953.tif 000010
【図９】
2010268953.tif 000011
【図１０】
2010268953.tif 000012
【図１１】
2010268953.tif 000013
【図１２】
2010268953.tif 000014
【図１３】
2010268953.tif 000015
【図１４】
2010268953.tif 000016
【図１５】
2010268953.tif 000017
【図１６】
2010268953.tif 000018
【図１７】
2010268953.tif 000019
【図１８】
2010268953.tif 000020